(57)【要約】  供給手段（６０）によりタワー（１０）内側を上方に向けて巡回させるコンベヤ（３０）側の下部に位置するバケット（５０）内に供給された気体がタワー内側に貯留された液体（２０）中を浮力を受けてバケット（５０）と共に上昇する力を利用して、コンベヤ（３０）を巡回させると共に、そのコンベヤを支持する回転軸（３２）に連結された発電機（７０）を回転させる構造の発電装置において、供給手段（６０）を、圧縮空気を多数の微小径の泡状にしてタワー内側の液体（２０）中に送り出す構造として、その圧縮空気がタワー内側の液体（２０）中に送り出される際の抵抗力を小さく抑える。そして、供給手段（６０）が消費する消費エネルギ値に対して、発電機（７０）から得られる電力エネルギ値を増大させる。
2005045241.tif 000002
【特許請求の範囲】
【請求項１】
液体が貯留された上下方向に起立する筒状のタワーと、該タワー内側の上下方向に巡回可能にループ状に張設されたコンベヤと、該コンベヤ外側の長手方向に沿って所定のピッチで並べて付設された、開口部がコンベヤの巡回方向とは逆の方向を向く複数のバケットと、前記タワー内側を上方に向けて巡回させるコンベヤ側の下部に位置するバケット内に、その下方を向く開口部を通して、泡状をした気体を供給する供給手段と、前記コンベヤを巡回可能に支持する回転軸に連結された発電機とが備えられて、前記供給手段によりタワー内側を上方に向けて巡回させるコンベヤ側の下部に位置するバケット内に供給された気体がタワー内側に貯留された液体中を浮力を受けてバケットと共に上昇する力を利用して、そのバケットが付設されたコンベヤ側を上方に向けて巡回させると共に、そのコンベヤの巡回に伴って、そのコンベヤの巡回方向に回転する前記回転軸に連結された発電機を回転させる構造の発電装置であって、
前記供給手段が、タワー内側下部に配置された先端が封じられたパイプ内側に圧縮された気体を送り込むための気体送給手段と、該気体送給手段によりパイプ内側に送り込まれた気体を、多数の微小径の泡状にして前記タワー内側の液体中に送り出すための、前記パイプ周壁に散点状に設けられた多数の微細径の穴と、そのパイプ周壁の多数の微細径の穴からタワー内側の液体中に送り出された多数の微小径の気体を集めて、タワー内側を上方に向けて巡回させるコンベヤ側の下部に位置するバケット内に送り込むための気体導入ノズルとからなることを特徴とする浮力利用の発電装置。
【請求項２】
前記気体送給手段によりパイプ内側に送り込む圧縮された気体に、大気中に廃棄される、排気圧力を持つ気体が用いられたことを特徴とする請求の範囲第１項記載の浮力利用の発電装置。
【請求項３】
前記気体導入ノズルから泡状の気体を、タワー内側を上方に向けて巡回させるコンベヤ側の下部に位置するバケット内に漏らさずに送り込むための、フレキシブルなガイド板が、タワー内側を上方に向けて巡回させるコンベヤ側の下部に位置するバケットの外側面に沿わせるようにして、タワー内底部からタワー内側の液体中に起立させて備えられたことを特徴とする請求の範囲第１項又は第２項記載の浮力利用の発電装置。
【請求項４】
前記コンベヤ外側の長手方向に沿って並べて付設された複数の各バケットの開口部外側縁に、サブガイド板がバケットの胴部側とは反対側の斜め外方に向けて起立させて備えられたことを特徴とする請求の範囲第１項、第２項又は第３項記載の浮力利用の発電装置。
【請求項５】
前記液体上端の液面レベルが、コンベヤの上端とほぼ同一高さとなるように、所定量の液体がタワー内側に貯留されたことを特徴とする請求の範囲第１項、第２項、第３項又は第４項記載の浮力利用の発電装置。
【請求項６】
前記コンベヤが、チェーンとスプロケットとの組み合わせからなるものであることを特徴とする請求の範囲第１項、第２項、第３項、第４項又は第５項記載の浮力利用の発電装置。
【発明の詳細な説明】
【技術分野】  本発明は、液体中を上昇する泡状の気体の浮力を利用して、発電機を回転させる、浮力利用の発電装置に関する。
【背景技術】  地球環境に優しい、クリーンなエネルギ源から電力を得る様々な方策が試みられている。その方策とは、例えば風力利用の発電装置、波力利用の発電装置、太陽エネルギ利用の発電装置などである。
しかしながら、これらの従来の発電装置は、いずれも、残念ながら、電力が大量消費される現代社会における、電力需要を十分に満たすまでには、至っていない。
本発明は、このような課題に鑑みてなされたもので、水等の液体中に泡状にして、送り込まれた気体に発生する浮力を利用して、発電機を回転させる発電装置であって、その水等の液体中に気体を泡状にして送り込むのに必要な消費エネルギに比べて、その水等の液体中に泡状にして送り込まれた気体に発生する浮力を用いて回転させる発電機から得られる電力エネルギを、大幅に高めることのできる、発電装置を提供しようとするものである。
【発明の開示】
このような目的を達成するために、本発明の浮力利用の発電装置は、
液体が貯留された上下方向に起立する筒状のタワーと、該タワー内側の上下方向に巡回可能にループ状に張設されたコンベヤと、該コンベヤ外側の長手方向に沿って所定のピッチで並べて付設された、開口部がコンベヤの巡回方向とは逆の方向を向く複数のバケットと、前記タワー内側を上方に向けて巡回させるコンベヤ側の下部に位置するバケット内に、その下方を向く開口部を通して、泡状をした気体を供給する供給手段と、前記コンベヤを巡回可能に支持する回転軸に連結された発電機とが備えられている。
そして、前記供給手段によりタワー内側を上方に向けて巡回させるコンベヤ側の下部に位置するバケット内に供給された気体がタワー内側に貯留された液体中を浮力を受けてバケットと共に上昇する力を利用して、そのバケットが付設されたコンベヤ側を上方に向けて巡回させる構造をしている。それと共に、そのコンベヤの巡回に伴って、コンベヤの巡回方向に回転するコンベヤを支持する回転軸に連結された発電機を回転させる構造をしている。
さらに、前記供給手段が、タワー内側下部に配置された先端が封じられたパイプ内側に圧縮された気体を送り込むための気体送給手段と、該気体送給手段によりパイプ内側に送り込まれた気体を、多数の微小径の泡状にして、タワー内側の液体中に送り出すための、パイプ周壁に散点状に設けられた多数の微細径の穴と、そのパイプ周壁の多数の微細径の穴からタワー内側の液体中に送り出された多数の微小径の気体を集めて、タワー内側を上方に向けて巡回させるコンベヤ側の下部に位置するバケット内に送り込むための気体導入ノズルとからなることを特徴としている。
そして、その気体送給手段によりパイプ内側に送り込まれた気体を、大径の泡状態のまま、タワー内側の液体中に送り出した場合に比べて、パイプ周壁に散点状に設けられた多数の微細径の穴から、タワー内側の液体中に、多数の微小径の泡状にして、抵抗少なく円滑に送り出すことができる構造をしている。パイプ周壁の多数の微細径の穴からタワー内側の液体中に送り出された多数の微小径の気体は、気体導入ノズル内側に漏れなく確実に集めて、タワー内側を上方に向けて巡回させるコンベヤ側の下部に位置するバケット内に、気体導入ノズル先端から、大径の泡状等にして、的確に送り込むことができる構造をしている。
そのために、そのタワー内側の液体中に送り込まれた泡状の気体がタワー内側に貯留された液体から受ける浮力により巡回させるコンベヤの巡回に伴って回転軸と共に回転させる発電機から得られる電力エネルギ値を、そのタワー内側の液体中に泡状の気体にして送り込む供給手段が消費する消費エネルギ値に比べて、大幅に高めることが可能となる。
本発明の発電装置においては、前記気体送給手段によりパイプ内側に送り込む圧縮された気体に、工場等から大気中に無駄に廃棄される様々の排出ガス、ジーゼルエンジン、ガソリンエンジン等の内燃機関から大気中に無駄に廃棄される排気ガス等の、排気圧力を持つ気体、即ち圧縮された気体を用いると良い。
そうした場合には、それらの大気中に無駄に廃棄される、排気圧力を持つ気体を、発電装置駆動用のエネルギに有効活用できる。
本発明の発電装置においては、前記気体導入ノズルから泡状の気体を、タワー内側を上方に向けて巡回させるコンベヤ側の下部に位置するバケット内に漏らさずに送り込むための、フレキシブルなガイド板を、タワー内側を上方に向けて巡回させるコンベヤ側の下部に位置するバケットの外側面に沿わせるようにして、タワー内底部からタワー内側の液体中に起立させて備えると良い。
そうした場合には、そのタワー内底部からタワー内側の液体中に起立させて備えたフレキシブルなガイド板の中途部等を、タワー内側を上方に向けて巡回させるコンベヤ側の下部に位置するコンベヤと共に上方に巡回するバケット外側面の移動軌跡に倣って、適宜角度内外に折曲させることができる。そして、そのフレキシブルなガイド板の内側面を、タワー内側を上方に向けて巡回させるコンベヤ側の下部に位置するコンベヤと共に上方に巡回するバケットの外側面に隙間をあけずに常に密着させた状態とすることができる。そして、そのフレキシブルなガイド板により、供給手段からタワー内側の液体中に供給された泡状の気体の一部が、タワー内側を上方に向けて巡回させるコンベヤ側の下部に位置するバケット内に送り込まれずに、そのバケットの外側を通して、タワー内上方に漏れ出すのを、防ぐことができる。
本発明の発電装置においては、前記コンベヤ外側の長手方向に沿って並べて付設された複数の各バケットの開口部外側縁に、サブガイド板をバケットの胴部側とは反対側の斜め外方に向けて起立させて備えると良い。
そうした場合には、そのバケットの開口部外側縁に備えたサブガイド板により、供給手段からタワー内側の液体中に供給された泡状の気体の一部が、タワー内側を上方に向けて巡回させるコンベヤ側の下部に位置するバケット内に、その下方を向く開口部を通して、的確に送り込まれずに、そのバケット外側を通して、タワー内上方に漏れ出すのを、防ぐことができる。
本発明の発電装置においては、前記液体上端の液面レベルが、コンベヤの上端とほぼ同一高さとなるように、所定量の液体をタワー内側に貯留すると良い。
そうした場合には、そのコンベヤ外側に付設されたバケットがコンベヤ上端又はコンベヤ上端近くまで達して、そのバケットの開口部が上方又は上方近くを向いた状態になり、そのバケット内に送り込まれた気体がバケット外部に放出されて、そのバケットがタワー内側の液体中からの浮力を受けなくなった際に、そのコンベヤ上端又はコンベヤ上端近くまで達したバケットを、タワー内側の流体抵抗値の大きい液体中から、流体抵抗値の小さい大気中に露出させた状態とすることができる。そして、そのコンベヤ上端又はコンベヤ上端近くまで達したバケットを、コンベヤ外側を、コンベヤと共に、抵抗少なく円滑に巡回させることができる。そして、そのコンベヤと共に巡回させるバケットに加わる流体抵抗値を低下させることができる。
本発明の発電装置においては、前記コンベヤを、チェーンとスプロケットとを組み合わせたものから構成すると良い。
そうした場合には、そのチェーンとスプロケットとの組み合わせからなるコンベヤを、タワー内側の液体中を、スリップさせずに、上下方向に的確に巡回させることができる。そして、そのチェーンの巡回に伴って、チェーンを支持するスプロケットの回転軸をチェーンの巡回方向に確実に回転させることができる。そして、その回転軸に連結された発電機を、チェーンの巡回方向に確実に回転させることができる。その際には、そのタワー内側に貯留された液体を潤滑剤に用いて、チェーンをスプロケット周囲を噛み合い抵抗少なく円滑に巡回させることができる。
【図面の簡単な説明】  第１図は本発明の発電装置の概略構造を示す正面断面図であり、第２図は本発明の発電装置の正面図であり、第３図は本発明の発電装置のバケット周辺の拡大構造説明図である。
【発明を実施するための最良の形態】  次に、本発明を実施するための最良の形態を、図面に従って説明する。
第１図ないし第３図には、本発明の発電装置の好適な実施の形態が示されている。
この発電装置は、液体２０が貯留された上下方向に起立する筒状のタワー１０が備えられている。タワー１０上端には、タワー内側の液体２０中を上昇して、タワー１０内上端に達した気体を、タワー１０外部に逃がす気体放出穴１２が設けられている。タワー１０内側の上下方向には、コンベヤ３０が、液体２０中に浸漬された状態で、巡回可能にループ状に張設されている。コンベヤ３０外側の長手方向に沿っては、複数のバケット５０が、所定の等ピッチで並べて付設されている。バケット５０は、上端が広く開口した方形箱体状をしていて、その開口部を、コンベヤ３０の巡回方向とは逆の方向に向けて、コンベヤ３０外側の長手方向に沿って複数並べて付設されている。タワー１０外部とタワー１０内側下部とに亙っては、タワー１０内側を上方に向けて巡回させるコンベヤ３０側の下部に位置するバケット５０内に、その下方を向く開口部を通して、泡状をした気体を供給する供給手段６０が備えられている。コンベヤ３０を巡回可能に支持する下部の回転軸３２には、タワー１０外部に設置された発電機の駆動軸７２が、チェーン７４及びスプロケット７６を介して、連結されている。
そして、供給手段６０によりタワー１０内側を上方に向けて巡回させるコンベヤ３０側の下部に位置するバケット５０内に供給された気体がタワー１０内側に貯留された液体２０中を浮力を受けてバケット５０と共に上昇する力を利用して、そのバケット５０が付設されたコンベヤ３０側を上方に向けて巡回させる構造をしている。それと共に、そのコンベヤ３０の巡回に伴って、コンベヤ３０の巡回方向に回転するコンベヤ３０を支持する下部の回転軸３２に連結された発電機７０を回転させる構造をしている。
供給手段６０は、タワー１０内側下部に配置された先端が封じられたパイプ６２内側に圧縮された気体を送り込むための気体送給手段６４と、該気体送給手段によりパイプ６２内側に送り込まれた気体を、多数の微小径の泡状にしてタワー内側の液体２０中に送り出すための、パイプ６２周壁に散点状に設けられた多数の微細径の穴６６と、そのパイプ周壁の多数の微細径の穴６６からタワー内側の液体２０中に送り出された多数の微小径の気体を集めて、タワー１０内側を上方に向けて巡回させるコンベヤ３０側の下部に位置するバケット５０内に、その下方を向く開口部を通して、送り込むための気体導入ノズル６８とから構成されている。気体送給手段６４は、タワー１０上端外側に搭載された圧縮空気を送り出すエアーコンプレッサ６５と、該エアーコンプレッサから送り出された圧縮空気を、タワー１０内側下部に配置された先端が封じられたパイプ６２内側に送り込むためのエアー回路６７とから構成されている。圧縮空気をタワー内側の液体２０中に多数の微小径の泡状にして送り出すための多数の微細径の穴６６を周壁に持つパイプ６２には、例えば日本国実公昭６１−３３３４４号公報記載のような、その周壁に数ミクロン〜数百ミクロン程度の穴をほぼ均等の密度で持つ多孔性パイプが用いられている。そして、その気体送給手段６４によりパイプ６２内側に送り込まれた圧縮空気を、パイプ６２周壁に散点状に設けられた多数の微細径の穴６６から、多数の微小径の泡状にしてタワー内側の液体２０中に、抵抗少なく円滑に送り出すことができる構造をしている。
気体導入ノズル６８は、その後部が、周壁に多数の微細径の穴６６を持つパイプ６２周囲を隙間なく連続して覆うように配置されている共に、その先端が、タワー１０内側を上方に向けて巡回させるコンベヤ３０側の下部に位置するバケット５０直下に配置されている。そして、パイプ周壁の多数の微細径の穴６６からタワー内側の液体２０中に送り出された多数の微小径の圧縮空気を、気体導入ノズル６８内側に漏れなく確実に集めて、タワー１０内側を上方に向けて巡回させるコンベヤ３０側の下部に位置するバケット５０内に、その下方を向く開口部から大径の泡状等にして的確に送り込むことができる構造をしている。
第１図ないし第３図に示された発電装置は、以上のように構成されていていて、この発電装置の使用に際しては、第１図に示したように、気体送給手段のエアーコンプレッサ６５を動作させて、圧縮空気を、エアー回路６７を通して、タワー１０内側下部に配置されたパイプ６２内側に送り込む。そして、その圧縮空気を、パイプ６２周壁に散点状に設けられた多数の微細径の穴６６から、多数の微小径の泡状にして、抵抗力少なくタワー内側の液体２０中に送り出す。タワー内側の液体２０中に多数の微小径の泡状にして送り出した圧縮空気は、第３図に示したように、気体導入ノズル６８内側に漏れなく確実に集めて、タワー１０内側を上方に向けて巡回させるコンベヤ３０側の下部に位置するバケット５０内に、その下方を向く開口部から大径の泡状等にして送り込む。
すると、そのバケット５０内に供給された圧縮空気がタワー１０内側に貯留された液体２０中を浮力を受けてバケット５０と共に上昇する力を利用して、そのバケット５０が付設されたコンベヤ３０側を上方に向けて巡回させることができる。それと共に、そのコンベヤ３０の巡回に伴って、コンベヤ３０の巡回方向に回転するコンベヤ３０を支持する下部の回転軸３２に連結された発電機の駆動軸７２を回転させることができる。そして、その発電機７０に電力を発生させることができる。発電機７０に発生させた電力は、例えば蓄電器８０に貯留できる。
この発電装置においては、気体送給手段６４を、エアーコンプレッサ６５から発生させた圧縮空気をパイプ６２内側に送り込む構造に代えて、工場等から大気中に無駄に廃棄される様々の排出ガス、ジーゼルエンジン、ガソリンエンジン等の内燃機関から大気中に無駄に廃棄される排気ガス等の、排気圧力を持つ気体を、パイプ６２内側に送り込む構造としても良い。又は、気体送給手段６４を、エアーコンプレッサ６５から発生させた圧縮空気をパイプ６２内側に送り込むと同時に、工場等から大気中に無駄に廃棄される様々の排出ガス、ジーゼルエンジン、ガソリンエンジン等の内燃機関から大気中に無駄に廃棄される排気ガス等の、排気圧力を持つ気体を、パイプ６２内側に共に送り込む構造としても良い。
そうした場合には、その工場や内燃機関等から大気中に無駄に廃棄される様々の排出ガス、排気ガス等の、排気圧力を持つ気体、即ち圧縮された気体を、発電装置駆動用のエネルギに有効活用できる。
この発電装置においては、第１図に示したように、気体導入ノズル６８先端から泡状の気体を、タワー１０内側を上方に向けて巡回させるコンベヤ３０側の下部に位置するバケット５０内に漏らさずに送り込むための、合成樹脂製などのフレキシブルな帯状のガイド板１００を、タワー１０内側を上方に向けて巡回させるコンベヤ３０側の下部に位置するバケット５０の外側面に沿わせるようにして、タワー１０内底部からタワー内側の液体２０中に起立させて備えると良い。
そうした場合には、第１図に示したように、そのタワー１０内底部からタワー内側の液体２０中に起立させて備えたフレキシブルなガイド板１００の中途部等を、タワー１０内側を上方に向けて巡回させるコンベヤ３０側の下部に位置するコンベヤ３０と共に上方に巡回するバケット５０外側面の移動軌跡に倣って、適宜角度内外に折曲させることができる。そして、そのガイド板１００がコンベヤ３０と共に巡回するバケット５０の移動を妨げぬようにして、そのフレキシブルなガイド板１００の内側面を、タワー１０内側を上方に向けて巡回させるコンベヤ３０側の下部に位置するコンベヤ３０と共に上方に巡回するバケット５０外側面に隙間をあけずに常に密着させた状態とすることができる。そして、そのフレキシブルなガイド板１００により、供給手段６０からタワー内側の液体２０中に供給された泡状の圧縮空気の一部が、タワー１０内側を上方に向けて巡回させるコンベヤ３０側の下部に位置するバケット５０内に送り込まれずに、そのバケット５０の外側を通して、タワー１０内上方に漏れ出すのを、防ぐことができる。
また、この発電装置においては、第１図に示したように、コンベヤ３０外側の長手方向に沿って並べて付設された複数の各バケット５０の開口部外側縁に、帯板状等をしたサブガイド板５２をバケット５０の胴部側とは反対側の斜め外方に向けて起立させて備えると良い。
そうした場合には、そのサブガイド板５２により、供給手段６０からタワー内側の液体２０中に供給された泡状の圧縮空気の一部が、タワー１０内側を上方に向けて巡回させるコンベヤ３０側の下部に位置するバケット５０内に、その下方を向く開口部を通して、的確に送り込まれずに、そのバケット５０の外側を通して、タワー１０内上方に漏れ出すのを、防ぐことができる。
また、この発電装置においては、第１図に示したように、タワー１０内側に貯留された液体２０上端の液面レベルが、コンベヤ３０の上端とほぼ同一高さとなるように、所定量の液体２０をタワー１０内側に貯留すると良い。
そうした場合には、そのコンベヤ３０外側に付設されたバケット５０がコンベヤ３０上端又はコンベヤ３０上端近くまで達して、そのバケット５０の開口部が、上方又は上方に近い方向を向いた状態になり、そのバケット５０内に送り込まれた圧縮空気がバケット５０外部に放出されて、そのバケット５０がタワー内側の液体２０中から浮力を受けなくなった際に、そのコンベヤ３０上端又はコンベヤ３０上端近くまで達したバケット５０を、タワー１０内側の流体抵抗値の大きい液体２０中から、流体抵抗値の小さい大気中に露出させた状態とすることができる。そして、そのコンベヤ３０上端又はコンベヤ３０上端近くまで達したバケット５０を、コンベヤ３０外側を、コンベヤ３０と共に、抵抗力少なく円滑に巡回させることができる。そして、そのコンベヤ３０と共に巡回させるバケット５０に加わる流体抵抗値を低下させることができる。
また、この発電装置においては、第１図に示したように、コンベヤ３０を、チェーンとスプロケットとの組み合わせから構成すると良い。
そうした場合には、そのチェーンとスプロケットとの組み合わせからなるコンベヤ３０を、タワー内側の液体２０中を、スリップさせずに、上下方向に的確に巡回させることができる。そして、そのチェーンの巡回に伴って、チェーンを支持するスプロケットの回転軸３２をチェーンの巡回方向に確実に回転させることができる。そして、その回転軸３２に連結された発電機７０を、チェーンの巡回方向に確実に回転させることができる。その際には、そのタワー１０内側に貯留された液体２０を、潤滑剤に用いて、チェーンをスプロケット周囲を噛み合い抵抗少なく円滑に巡回させることができる。
実験によれば、第１図ないし第３図に示した発電装置を用いて、発電機３０に電力を発生させれば、そのバケット５０内に送り込まれた泡状の圧縮空気がタワー１０内側に貯留された液体２０中を浮力を受けてバケット５０と共に上昇する力を利用して、コンベヤ３０の巡回方向に回転させる発電機７０から得られる出力電力エネルギ値を、そのタワー内側の液体２０中に圧縮空気を泡状にして送り込む供給手段６０が消費する消費電力エネルギ値に比べて、大幅に高めることが可能となることが、判明した。
以下に、その実験例を詳述する。
この実験例では、エアーコンプレッサ６５に、消費電力が、１００Ｗのコンプレッサを２台用いた。タワー１０内側には、水道水を貯留した。発電機７０には、パワーＺ工業株式会社製のアウターローター発電機のＰ−５００Ｇを２台連結して使用した。そして、その２台の発電機７０を、上記１００Ｗの２台のコンプレッサからタワー１０内側の水道水に送り込まれた泡状の圧縮空気がタワー１０内側に貯留された水道水から受ける浮力を利用して回転させた。発電機の駆動軸７２には、複数の歯車を組み合わせてなる増速機７５を介在させて、発電機７０をほぼ１０００ｒｐｍで高速回転させた。
すると、上記２台の発電機７０のそれぞれの出力電圧値が５０．０００Ｖとなり、その２台の発電機７０のそれぞれの出力電流値が３．０５０Ａとなった。即ち、その２台の発電機７０のそれぞれの出力電力値が、１５２．５００Ｗとなった。この結果から、その供給手段のエアーコンプレッサ６５の電力消費値が２００Ｗなのに対して、その２台の発電機７０から得られた出力電力値が３０５．０００Ｗとなり、その供給手段６０の電力消費値に対しての、その発電機７０の出力電力値が、約１．５倍程度に大幅に増加することが、判明した。
本発明の発電装置のタワー１０内側に貯留する液体２０には、その液体２０中に送り込まれた気体が大きな浮力を受けられる、水よりも比重の大きい液体や、長期間貯留し続けた場合でも腐食しにくい液体を使用することが、可能である。また、タワー内側の液体２０中に送り込む気体には、空気以外の、様々の気体を用いることが、可能である。
【産業上の利用可能性】  本発明の発電装置は、大量電力を消費する製造工場等における地球環境に優しい省エネ対策用の電力供給源として、また一般家庭用の省エネ型の電力供給源として、広く有効利用可能である。
【図１】
2005045241.tif 000003
【図２】
2005045241.tif 000004
【図３】
2005045241.tif 000005
【手続補正書】
【提出日】平成19年1月8日(2007.1.8)
【手続補正１】
【補正対象書類名】特許請求の範囲
【補正対象項目名】全文
【補正方法】変更
【補正の内容】
【特許請求の範囲】
【請求項１】
液体が貯留された上下方向に起立する筒状のタワーと、該タワー内側の上下方向に巡回可能にループ状に張設されたコンベヤと、該コンベヤ外側の長手方向に沿って所定のピッチで並べて付設された、開口部がコンベヤの巡回方向とは逆の方向を向く複数のバケットと、前記タワー内側を上方に向けて巡回させるコンベヤ側の下部に位置するバケット内に、その下方を向く開口部を通して、泡状をした気体を供給する供給手段と、前記コンベヤを巡回可能に支持する回転軸に連結された発電機とが備えられて、前記供給手段によりタワー内側を上方に向けて巡回させるコンベヤ側の下部に位置するバケット内に供給された気体がタワー内側に貯留された液体中を浮力を受けてバケットと共に上昇する力を利用して、そのバケットが付設されたコンベヤ側を上方に向けて巡回させると共に、そのコンベヤの巡回に伴って、そのコンベヤの巡回方向に回転する前記回転軸に連結された発電機を回転させる構造の発電装置であって、
前記供給手段が、タワー内側下部に配置された先端が封じられたパイプ内側に圧縮された気体を送り込むための気体送給手段と、該気体送給手段によりパイプ内側に送り込まれた気体を、多数の微小径の泡状にして前記タワー内側の液体中に送り出すための、前記パイプ周壁に散点状に設けられた多数の微細径の穴と、そのパイプ周壁の多数の微細径の穴からタワー内側の液体中に送り出された多数の微小径の気体を集めて、タワー内側を上方に向けて巡回させるコンベヤ側の下部に位置するバケット内に送り込むための気体導入ノズルとからなり、
前記液体上端の液面レベルが、タワー内側に張設されたコンベヤの上端と同一高さとなるように、所定量の液体がタワー内側に貯留されたことを特徴とする浮力利用の発電装置。
【請求項２】
前記気体送給手段によりパイプ内側に送り込む圧縮された気体に、大気中に廃棄される、排気圧力を持つ気体が用いられたことを特徴とする請求項１記載の浮力利用の発電装置。
【請求項３】
前記気体導入ノズルから泡状の気体を、タワー内側を上方に向けて巡回させるコンベヤ側の下部に位置するバケット内に漏らさずに送り込むための、フレキシブルな合成樹脂製のガイド板が、タワー内側を上方に向けて巡回させるコンベヤ側の下部に位置するバケットの外側面に沿わせるようにして、タワー内底部からタワー内側の液体中に起立させて備えられ、そのガイド板の上端にタワー内側壁に当接させてガイド板上端がバケットが巡回、移動する側とは反対側に撓むのを防ぐ突起が突設されたことを特徴とする請求項１又は２記載の浮力利用の発電装置。
【請求項４】
前記コンベヤ外側の長手方向に沿って並べて付設された複数の各バケットの開口部外側縁に、サブガイド板がバケットの胴部側とは反対側の斜め外方に向けて起立させて備えられたことを特徴とする請求項１、２又は３記載の浮力利用の発電装置。
【請求項５】
前記コンベヤが、チェーンとスプロケットとの組み合わせからなるものであることを特徴とする請求項１、２、３又は４記載の浮力利用の発電装置。
【手続補正２】
【補正対象書類名】明細書
【補正対象項目名】全文
【補正方法】変更
【補正の内容】
【発明の詳細な説明】
【技術分野】
【０００１】
本発明は、液体中を上昇する泡状の気体の浮力を利用して、発電機を回転させる、浮力利用の発電装置に関する。
【背景技術】
【０００２】
地球環境に優しい、クリーンなエネルギ源から電力を得る様々な方策が試みられている。その方策とは、例えば風力利用の発電装置、波力利用の発電装置、太陽エネルギ利用の発電装置などである。
【発明の開示】
【発明が解決しようとする課題】
【０００３】
しかしながら、これらの従来の発電装置は、いずれも、残念ながら、電力が大量消費される現代社会における、電力需要を十分に満たすまでには、至っていない。
【０００４】
本発明は、このような課題に鑑みてなされたもので、水等の液体中に泡状にして、送り込まれた気体に発生する浮力を利用して、発電機を回転させる発電装置であって、その水等の液体中に気体を泡状にして送り込むのに必要な消費エネルギに比べて、その水等の液体中に泡状にして送り込まれた気体に発生する浮力を用いて回転させる発電機から得られる電力エネルギを、大幅に高めることのできる、発電装置を提供しようとするものである。
【課題を解決するための手段】
【０００５】
このような目的を達成するために、本発明の浮力利用の発電装置は、
液体が貯留された上下方向に起立する筒状のタワーと、該タワー内側の上下方向に巡回可能にループ状に張設されたコンベヤと、該コンベヤ外側の長手方向に沿って所定のピッチで並べて付設された、開口部がコンベヤの巡回方向とは逆の方向を向く複数のバケットと、前記タワー内側を上方に向けて巡回させるコンベヤ側の下部に位置するバケット内に、その下方を向く開口部を通して、泡状をした気体を供給する供給手段と、前記コンベヤを巡回可能に支持する回転軸に連結された発電機とが備えられている。
そして、前記供給手段によりタワー内側を上方に向けて巡回させるコンベヤ側の下部に位置するバケット内に供給された気体がタワー内側に貯留された液体中を浮力を受けてバケットと共に上昇する力を利用して、そのバケットが付設されたコンベヤ側を上方に向けて巡回させる構造をしている。それと共に、そのコンベヤの巡回に伴って、コンベヤの巡回方向に回転するコンベヤを支持する回転軸に連結された発電機を回転させる構造をしている。
【０００６】
さらに、前記供給手段が、タワー内側下部に配置された先端が封じられたパイプ内側に圧縮された気体を送り込むための気体送給手段と、該気体送給手段によりパイプ内側に送り込まれた気体を、多数の微小径の泡状にして、タワー内側の液体中に送り出すための、パイプ周壁に散点状に設けられた多数の微細径の穴と、そのパイプ周壁の多数の微細径の穴からタワー内側の液体中に送り出された多数の微小径の気体を集めて、タワー内側を上方に向けて巡回させるコンベヤ側の下部に位置するバケット内に送り込むための気体導入ノズルとからなることを特徴としている。
そして、その気体送給手段によりパイプ内側に送り込まれた気体を、大径の泡状態のまま、タワー内側の液体中に送り出した場合に比べて、パイプ周壁に散点状に設けられた多数の微細径の穴から、タワー内側の液体中に、多数の微小径の泡状にして、抵抗少なく円滑に送り出すことができる構造をしている。パイプ周壁の多数の微細径の穴からタワー内側の液体中に送り出された多数の微小径の気体は、気体導入ノズル内側に漏れなく確実に集めて、タワー内側を上方に向けて巡回させるコンベヤ側の下部に位置するバケット内に、気体導入ノズル先端から、大径の泡状等にして、的確に送り込むことができる構造をしている。
【０００７】
そのために、そのタワー内側の液体中に送り込まれた泡状の気体がタワー内側に貯留された液体から受ける浮力により巡回させるコンベヤの巡回に伴って回転軸と共に回転させる発電機から得られる電力エネルギ値を、そのタワー内側の液体中に泡状の気体にして送り込む供給手段が消費する消費エネルギ値に比べて、大幅に高めることが可能となる。
【０００８】
本発明の発電装置においては、前記気体送給手段によりパイプ内側に送り込む圧縮された気体に、工場等から大気中に無駄に廃棄される様々の排出ガス、ジーゼルエンジン、ガソリンエンジン等の内燃機関から大気中に無駄に廃棄される排気ガス等の、排気圧力を持つ気体、即ち圧縮された気体を用いると良い。
そうした場合には、それらの大気中に無駄に廃棄される、排気圧力を持つ気体を、発電装置駆動用のエネルギに有効活用できる。
【０００９】
本発明の発電装置においては、前記気体導入ノズルから泡状の気体を、タワー内側を上方に向けて巡回させるコンベヤ側の下部に位置するバケット内に漏らさずに送り込むための、フレキシブルな合成樹脂製のガイド板を、タワー内側を上方に向けて巡回させるコンベヤ側の下部に位置するバケットの外側面に沿わせるようにして、タワー内底部からタワー内側の液体中に起立させて備えると良い。ガイド板の上端には、タワー内側壁に当接させてガイド板上端がバケットが巡回、移動する側とは反対側に撓むのを防ぐ突起を突設すると良い。
そうした場合には、そのタワー内底部からタワー内側の液体中に起立させて備えたフレキシブルな合成樹脂製のガイド板の中途部等を、タワー内側を上方に向けて巡回させるコンベヤ側の下部に位置するコンベヤと共に上方に巡回するバケット外側面の移動軌跡に倣って、適宜角度内外に折曲させることができる。そして、そのフレキシブルなガイド板の内側面を、タワー内側を上方に向けて巡回させるコンベヤ側の下部に位置するコンベヤと共に上方に巡回するバケットの外側面に隙間をあけずに常に密着させた状態とすることができる。そして、そのフレキシブルなガイド板により、供給手段からタワー内側の液体中に供給された泡状の気体の一部が、タワー内側を上方に向けて巡回させるコンベヤ側の下部に位置するバケット内に送り込まれずに、そのバケットの外側を通して、タワー内上方に漏れ出すのを、防ぐことができる。
加えて、ガイド板の上端を突起を介してタワー内側壁に当接させているため、そのフレキシブルなガイド板上端がバケットが巡回、移動する側とは反対側に撓むのを防ぐことができる。そして、そのガイド板上端が、バケットから大きく離隔して、バケット外側面とその外側に位置するフレキシブルなガイド板上端との間が大きく空くのを防ぐことができる。そして、その大きく空いたバケット外側面とガイド板上端との間から、タワー内側の液体中に放出された気泡の多くが、バケット内に侵入せずに、タワー内側の液体中を無駄に上昇してしまうのを、確実に防止できる。
【００１０】
本発明の発電装置においては、前記コンベヤ外側の長手方向に沿って並べて付設された複数の各バケットの開口部外側縁に、サブガイド板をバケットの胴部側とは反対側の斜め外方に向けて起立させて備えると良い。
そうした場合には、そのバケットの開口部外側縁に備えたサブガイド板により、供給手段からタワー内側の液体中に供給された泡状の気体の一部が、タワー内側を上方に向けて巡回させるコンベヤ側の下部に位置するバケット内に、その下方を向く開口部を通して、的確に送り込まれずに、そのバケット外側を通して、タワー内上方に漏れ出すのを、防ぐことができる。
【００１１】
本発明の発電装置においては、前記液体上端の液面レベルが、コンベヤの上端と同一高さとなるように、所定量の液体をタワー内側に貯留すると良い。
そうした場合には、そのコンベヤ外側に付設されたバケットがコンベヤ上端まで達して、そのバケットの開口部が上方又は上方近くを向いた状態になり、そのバケット内に送り込まれた気体がバケット外部に放出されて、そのバケットがタワー内側の液体中からの浮力を受けなくなった際に、そのコンベヤ上端まで達したバケットを、タワー内側の流体抵抗値の大きい液体中から、流体抵抗値の小さい大気中に露出させた状態とすることができる。そして、そのコンベヤ上端まで達したバケットを、コンベヤ外側を、コンベヤと共に、抵抗少なく円滑に巡回させることができる。そして、そのコンベヤと共に巡回させるバケットに加わる流体抵抗値を低下させることができる。
【００１２】
本発明の発電装置においては、前記コンベヤを、チェーンとスプロケットとを組み合わせたものから構成すると良い。
そうした場合には、そのチェーンとスプロケットとの組み合わせからなるコンベヤを、タワー内側の液体中を、スリップさせずに、上下方向に的確に巡回させることができる。そして、そのチェーンの巡回に伴って、チェーンを支持するスプロケットの回転軸をチェーンの巡回方向に確実に回転させることができる。そして、その回転軸に連結された発電機を、チェーンの巡回方向に確実に回転させることができる。その際には、そのタワー内側に貯留された液体を潤滑剤に用いて、チェーンをスプロケット周囲を噛み合い抵抗少なく円滑に巡回させることができる。
【発明を実施するための最良の形態】
【００１３】
次に、本発明を実施するための最良の形態を、図面に従って説明する。
図１ないし図３には、本発明の発電装置の好適な実施の形態が示されている。
【００１４】
この発電装置は、液体２０が貯留された上下方向に起立する筒状のタワー１０が備えられている。タワー１０上端には、タワー内側の液体２０中を上昇して、タワー１０内上端に達した気体を、タワー１０外部に逃がす気体放出穴１２が設けられている。タワー１０内側の上下方向には、コンベヤ３０が、液体２０中に浸漬された状態で、巡回可能にループ状に張設されている。コンベヤ３０外側の長手方向に沿っては、複数のバケット５０が、所定の等ピッチで並べて付設されている。バケット５０は、上端が広く開口した方形箱体状をしていて、その開口部を、コンベヤ３０の巡回方向とは逆の方向に向けて、コンベヤ３０外側の長手方向に沿って複数並べて付設されている。タワー１０外部とタワー１０内側下部とに亙っては、タワー１０内側を上方に向けて巡回させるコンベヤ３０側の下部に位置するバケット５０内に、その下方を向く開口部を通して、泡状をした気体を供給する供給手段６０が備えられている。コンベヤ３０を巡回可能に支持する下部の回転軸３２には、タワー１０外部に設置された発電機の駆動軸７２が、チェーン７４及びスプロケット７６を介して、連結されている。
そして、供給手段６０によりタワー１０内側を上方に向けて巡回させるコンベヤ３０側の下部に位置するバケット５０内に供給された気体がタワー１０内側に貯留された液体２０中を浮力を受けてバケット５０と共に上昇する力を利用して、そのバケット５０が付設されたコンベヤ３０側を上方に向けて巡回させる構造をしている。それと共に、そのコンベヤ３０の巡回に伴って、コンベヤ３０の巡回方向に回転するコンベヤ３０を支持する下部の回転軸３２に連結された発電機７０を回転させる構造をしている。
【００１５】
供給手段６０は、タワー１０内側下部に配置された先端が封じられたパイプ６２内側に圧縮された気体を送り込むための気体送給手段６４と、該気体送給手段によりパイプ６２内側に送り込まれた気体を、多数の微小径の泡状にしてタワー内側の液体２０中に送り出すための、パイプ６２周壁に散点状に設けられた多数の微細径の穴６６と、そのパイプ周壁の多数の微細径の穴６６からタワー内側の液体２０中に送り出された多数の微小径の気体を集めて、タワー１０内側を上方に向けて巡回させるコンベヤ３０側の下部に位置するバケット５０内に、その下方を向く開口部を通して、送り込むための気体導入ノズル６８とから構成されている。気体送給手段６４は、タワー１０上端外側に搭載された圧縮空気を送り出すエアーコンプレッサ６５と、該エアーコンプレッサから送り出された圧縮空気を、タワー１０内側下部に配置された先端が封じられたパイプ６２内側に送り込むためのエアー回路６７とから構成されている。圧縮空気をタワー内側の液体２０中に多数の微小径の泡状にして送り出すための多数の微細径の穴６６を周壁に持つパイプ６２には、例えば日本国実公昭６１−３３３４４号公報記載のような、その周壁に数ミクロン〜数百ミクロン程度の穴をほぼ均等の密度で持つ多孔性パイプが用いられている。そして、その気体送給手段６４によりパイプ６２内側に送り込まれた圧縮空気を、パイプ６２周壁に散点状に設けられた多数の微細径の穴６６から、多数の微小径の泡状にしてタワー内側の液体２０中に、抵抗少なく円滑に送り出すことができる構造をしている。
【００１６】
気体導入ノズル６８は、その後部が、周壁に多数の微細径の穴６６を持つパイプ６２周囲を隙間なく連続して覆うように配置されている共に、その先端が、タワー１０内側を上方に向けて巡回させるコンベヤ３０側の下部に位置するバケット５０直下に配置されている。そして、パイプ周壁の多数の微細径の穴６６からタワー内側の液体２０中に送り出された多数の微小径の圧縮空気を、気体導入ノズル６８内側に漏れなく確実に集めて、タワー１０内側を上方に向けて巡回させるコンベヤ３０側の下部に位置するバケット５０内に、その下方を向く開口部から大径の泡状等にして的確に送り込むことができる構造をしている。
【００１７】
図１ないし図３に示された発電装置は、以上のように構成されていて、この発電装置の使用に際しては、図１に示したように、気体送給手段のエアーコンプレッサ６５を動作させて、圧縮空気を、エアー回路６７を通して、タワー１０内側下部に配置されたパイプ６２内側に送り込む。そして、その圧縮空気を、パイプ６２周壁に散点状に設けられた多数の微細径の穴６６から、多数の微小径の泡状にして、抵抗力少なくタワー内側の液体２０中に送り出す。タワー内側の液体２０中に多数の微小径の泡状にして送り出した圧縮空気は、図３に示したように、気体導入ノズル６８内側に漏れなく確実に集めて、タワー１０内側を上方に向けて巡回させるコンベヤ３０側の下部に位置するバケット５０内に、その下方を向く開口部から大径の泡状等にして送り込む。
【００１８】
すると、そのバケット５０内に供給された圧縮空気がタワー１０内側に貯留された液体２０中を浮力を受けてバケット５０と共に上昇する力を利用して、そのバケット５０が付設されたコンベヤ３０側を上方に向けて巡回させることができる。それと共に、そのコンベヤ３０の巡回に伴って、コンベヤ３０の巡回方向に回転するコンベヤ３０を支持する下部の回転軸３２に連結された発電機の駆動軸７２を回転させることができる。そして、その発電機７０に電力を発生させることができる。発電機７０に発生させた電力は、例えば蓄電器８０に貯留できる。
【００１９】
この発電装置においては、気体送給手段６４を、エアーコンプレッサ６５から発生させた圧縮空気をパイプ６２内側に送り込む構造に代えて、工場等から大気中に無駄に廃棄される様々の排出ガス、ジーゼルエンジン、ガソリンエンジン等の内燃機関から大気中に無駄に廃棄される排気ガス等の、排気圧力を持つ気体を、パイプ６２内側に送り込む構造としても良い。又は、気体送給手段６４を、エアーコンプレッサ６５から発生させた圧縮空気をパイプ６２内側に送り込むと同時に、工場等から大気中に無駄に廃棄される様々の排出ガス、ジーゼルエンジン、ガソリンエンジン等の内燃機関から大気中に無駄に廃棄される排気ガス等の、排気圧力を持つ気体を、パイプ６２内側に共に送り込む構造としても良い。
そうした場合には、その工場や内燃機関等から大気中に無駄に廃棄される様々の排出ガス、排気ガス等の、排気圧力を持つ気体、即ち圧縮された気体を、発電装置駆動用のエネルギに有効活用できる。
【００２０】
この発電装置においては、図１に示したように、気体導入ノズル６８先端から泡状の気体を、タワー１０内側を上方に向けて巡回させるコンベヤ３０側の下部に位置するバケット５０内に漏らさずに送り込むための、合成樹脂製のフレキシブルな帯状のガイド板１００を、タワー１０内側を上方に向けて巡回させるコンベヤ３０側の下部に位置するバケット５０の外側面に沿わせるようにして、タワー１０内底部からタワー内側の液体２０中に起立させて備えると良い。ガイド板１００の上端には、タワー１０内側壁に当接させてガイド板１００上端がバケット５０が巡回、移動する側とは反対側に撓むのを防ぐ突起１０２を突設すると良い。
そうした場合には、図１に示したように、そのタワー１０内底部からタワー内側の液体２０中に起立させて備えたフレキシブルな合成樹脂製のガイド板１００の中途部等を、タワー１０内側を上方に向けて巡回させるコンベヤ３０側の下部に位置するコンベヤ３０と共に上方に巡回するバケット５０外側面の移動軌跡に倣って、適宜角度内外に折曲させることができる。そして、そのガイド板１００がコンベヤ３０と共に巡回するバケット５０の移動を妨げぬようにして、そのフレキシブルなガイド板１００の内側面を、タワー１０内側を上方に向けて巡回させるコンベヤ３０側の下部に位置するコンベヤ３０と共に上方に巡回するバケット５０外側面に隙間をあけずに常に密着させた状態とすることができる。そして、そのフレキシブルなガイド板１００により、供給手段６０からタワー内側の液体２０中に供給された泡状の圧縮空気の一部が、タワー１０内側を上方に向けて巡回させるコンベヤ３０側の下部に位置するバケット５０内に送り込まれずに、そのバケット５０の外側を通して、タワー１０内上方に漏れ出すのを、防ぐことができる。
加えて、ガイド板１００の上端を突起１０２を介してタワー１０内側壁に当接させた状態とすることができる。そして、その突起１０２により、ガイド板１００の上端をバケット５０が巡回、移動するタワー１０内側方向に常に押して、そのフレキシブルなガイド板１００上端がバケット５０が巡回、移動する側とは反対側に撓むのを防ぐことができる。そして、そのガイド板１００上端が、その内側を巡回、移動するバケット５０から大きく離隔して、バケット５０外側面とその外側に位置するフレキシブルなガイド板１００上端との間が大きく空くのを防ぐことができる。そして、その大きく空いたバケット５０外側面とガイド板１００上端との間から、タワー内側の液体２０中に放出された気泡の多くが、バケット５０内に侵入せずに、タワー内側の液体２０中を無駄に上昇してしまうのを、確実に防止できる。
【００２１】
また、この発電装置においては、図１に示したように、コンベヤ３０外側の長手方向に沿って並べて付設された複数の各バケット５０の開口部外側縁に、帯板状等をしたサブガイド板５２をバケット５０の胴部側とは反対側の斜め外方に向けて起立させて備えると良い。
そうした場合には、そのサブガイド板５２により、供給手段６０からタワー内側の液体２０中に供給された泡状の圧縮空気の一部が、タワー１０内側を上方に向けて巡回させるコンベヤ３０側の下部に位置するバケット５０内に、その下方を向く開口部を通して、的確に送り込まれずに、そのバケット５０の外側を通して、タワー１０内上方に漏れ出すのを、防ぐことができる。
【００２２】
また、この発電装置においては、図１に示したように、タワー１０内側に貯留された液体２０上端の液面レベルが、コンベヤ３０の上端と同一高さとなるように、所定量の液体２０をタワー１０内側に貯留すると良い。
そうした場合には、そのコンベヤ３０外側に付設されたバケット５０がコンベヤ３０上端まで達して、そのバケット５０の開口部が、上方又は上方に近い方向を向いた状態になり、そのバケット５０内に送り込まれた圧縮空気がバケット５０外部に放出されて、そのバケット５０がタワー内側の液体２０中から浮力を受けなくなった際に、そのコンベヤ３０上端まで達したバケット５０を、タワー１０内側の流体抵抗値の大きい液体２０中から、流体抵抗値の小さい大気中に露出させた状態とすることができる。そして、そのコンベヤ３０上端まで達したバケット５０を、コンベヤ３０外側を、コンベヤ３０と共に、抵抗力少なく円滑に巡回させることができる。そして、そのコンベヤ３０と共に巡回させるバケット５０に加わる流体抵抗値を低下させることができる。
【００２３】
また、この発電装置においては、図１に示したように、コンベヤ３０を、チェーンとスプロケットとの組み合わせから構成すると良い。
そうした場合には、そのチェーンとスプロケットとの組み合わせからなるコンベヤ３０を、タワー内側の液体２０中を、スリップさせずに、上下方向に的確に巡回させることができる。そして、そのチェーンの巡回に伴って、チェーンを支持するスプロケットの回転軸３２をチェーンの巡回方向に確実に回転させることができる。そして、その回転軸３２に連結された発電機７０を、チェーンの巡回方向に確実に回転させることができる。その際には、そのタワー１０内側に貯留された液体２０を、潤滑剤に用いて、チェーンをスプロケット周囲を噛み合い抵抗少なく円滑に巡回させることができる。
【００２４】
実験によれば、図１ないし図３に示した発電装置を用いて、発電機７０に電力を発生させれば、そのバケット５０内に送り込まれた泡状の圧縮空気がタワー１０内側に貯留された液体２０中を浮力を受けてバケット５０と共に上昇する力を利用して、コンベヤ３０の巡回方向に回転させる発電機７０から得られる出力電力エネルギ値を、そのタワー内側の液体２０中に圧縮空気を泡状にして送り込む供給手段６０が消費する消費電力エネルギ値に比べて、大幅に高めることが可能となることが、判明した。
【００２５】
以下に、その実験例を詳述する。
この実験例では、エアーコンプレッサ６５に、消費電力が、１００Ｗのコンプレッサを２台用いた。タワー１０内側には、水道水を貯留した。発電機７０には、パワーＺ工業株式会社製のアウターローター発電機のＰ−５００Ｇを２台連結して使用した。そして、その２台の発電機７０を、上記１００Ｗの２台のコンプレッサからタワー１０内側の水道水に送り込まれた泡状の圧縮空気がタワー１０内側に貯留された水道水から受ける浮力を利用して回転させた。発電機の駆動軸７２には、複数の歯車を組み合わせてなる増速機７５を介在させて、発電機７０をほぼ１０００ｒｐｍで高速回転させた。
すると、上記２台の発電機７０のそれぞれの出力電圧値が５０．０００Ｖとなり、その２台の発電機７０のそれぞれの出力電流値が３．０５０Ａとなった。即ち、その２台の発電機７０のそれぞれの出力電力値が、１５２．５００Ｗとなった。この結果から、その供給手段のエアーコンプレッサ６５の電力消費値が２００Ｗなのに対して、その２台の発電機７０から得られた出力電力値が３０５．０００Ｗとなり、その供給手段６０の電力消費値に対しての、その発電機７０の出力電力値が、約１．５倍程度に大幅に増加することが、判明した。
本発明の発電装置のタワー１０内側に貯留する液体２０には、その液体２０中に送り込まれた気体が大きな浮力を受けられる、水よりも比重の大きい液体や、長期間貯留し続けた場合でも腐食しにくい液体を使用することが、可能である。また、タワー内側の液体２０中に送り込む気体には、空気以外の、様々の気体を用いることが、可能である。
【産業上の利用可能性】
【００２６】
本発明の発電装置は、大量電力を消費する製造工場等における地球環境に優しい省エネ対策用の電力供給源として、また一般家庭用の省エネ型の電力供給源として、広く有効利用可能である。
【図面の簡単な説明】
【００２７】
図１は本発明の発電装置の概略構造を示す正面断面図であり、図２は本発明の発電装置の正面図であり、図３は本発明の発電装置のバケット周辺の拡大構造説明図である。
【符号の説明】
【００２８】
１０  タワー
２０  液体
３０  コンベヤ
５０  バケット
５２  サブガイド板
６０  供給手段
６２  パイプ
６４  気体送給手段
６６  微細径の穴
７０  発電機
７２  駆動軸
７４  チェーン
７６  スプロケット
１００  ガイド板
１０２  突起
【手続補正３】
【補正対象書類名】図面
【補正対象項目名】図１
【補正方法】変更
【補正の内容】
【図１】
2005045241.tif 000006
【国際調査報告】
2005045241.tif 000007
2005045241.tif 000008